(57)【要約】【課題】コップ本体にステンレス鋼製のコップカバーを被せた構造の液体容器の蓋兼用コップにおいて、コップ本体とコップカバーの間のすき間に浸入した水が抜け難い問題を解消することである。【解決手段】コップ本体１とコップカバー２との間の内部すき間１５に通じた開口部排水すき間２２を該コップ本体１の開口部外周溝７とコップカバー２との間に設け、洗浄時等に浸入した水が開口部排水すき間２２から自然に排水されるようにした。【選択図】図１
2005143975.tif 000002
【特許請求の範囲】
【請求項１】
コップ本体の外面に金属製のコップカバーを被せ、そのコップカバーの開口部を前記コップ本体の開口部外周溝に嵌入し、前記コップ本体の底面の外周縁に嵌合一体化した底部材と前記コップ本体の開口部外周溝との間で前記コップカバーを保持するようにした液体容器の蓋兼用コップにおいて、前記コップ本体とコップカバーとの間の内部すき間に通じた開口部排水すき間を、該コップ本体の開口部外周溝とコップカバーとの間に設けたことを特徴とする液体容器の蓋兼用コップ。
【請求項２】
前記コップ本体の外面に所要数の縦リブを設けてコップカバーとの間に前記の内部すき間を形成し、該コップカバーにコップ本体の本体底面部に対応したカバー底面部を設け、該本体底面部にその外周縁に沿って設けた所要数の接合突起を前記コップカバーに設けた孔を貫通して外部に突出させ、前記カバー底面部に嵌着した前記底部材を各接合突起に接合することにより前記コップ本体、コップカバー及び底部材を一体化してなる請求項１に記載の液体容器の蓋兼用コップ。
【請求項３】
前記の開口部排水すき間を前記コップ本体の開口部外周溝とコップカバーの開口部との間の全周にわたり設け、該開口部排水すき間を前記の内部すき間に連通させたことを特徴とする請求項２に記載の液体容器の蓋兼用コップ。
【請求項４】
前記接合突起とそれが貫通する前記孔との間に前記の内部すき間に連通した接合部排水すき間を設けたことを特徴とする請求項２又は３のいずれかに記載の液体容器の蓋兼用コップ。
【請求項５】
前記カバー底面部の外周部の内側に立上り壁を経て一段高くなった突出部を設けるとともに前記外周部に前記の孔を設け、リング状に形成した前記底部材を該立上り壁の外周に嵌合し、前記孔から突出した接合突起と接合一体化し、前記立上り壁とこれに対向した底部材の内周面との間に前記の接合部排水すき間に連通した底面部排水すき間を設けたことを特徴とする請求項４に記載の液体容器の蓋兼用コップ。
【発明の詳細な説明】
【技術分野】
【０００１】
この発明は、魔法びん等の液体容器に使用される蓋兼用コップに関するものである。
【背景技術】
【０００２】
魔法びん等の液体容器に使用される蓋兼用コップにおいて、容器本体がステンレス鋼製の場合は、デザイン的な統一性、あるいは保温性等の観点から合成樹脂製のコップ本体の外面にステンレス鋼のカバーを施すことが従来から行われている（特許文献１から３参照）。
【０００３】
特許文献１に記載されたものは、円筒形の周壁を有するコップ本体の外周面に円筒状に巻いたステンレス鋼製のコップカバーを被せ、そのコップカバーの開口部側の端部を該コップ本体の開口部外周溝で受けるとともに底面部側の端部にリング状の底部材を嵌着し、その底部材をコップ本体に強制嵌合した構造である。
【０００４】
特許文献２に記載されたものは、前記のものと底部材が板状である点で相違し、また、特許文献３に記載されたものはコップ本体とコップカバーが円筒状ではなくテーパーが付いている点で相違する。その他の構成はいずれも特許文献１の場合と実質的に同一である。
【０００５】
前記の各コップカバーは、断熱作用を持たせるためにコップ本体との間に若干の内部すき間を持つように製作され、そのすき間部分に水が浸入しないように、コップカバーの開口部側の端部はコップ本体の開口部外周溝に密着状態に嵌入されるとともに底面部側の端部は底部材の外周縁に密着される。また、すき間を封じるためにシール剤を充填する場合もある。
【特許文献１】実公平６−２６１７２号公報
【特許文献２】実用新案登録第２５１０５２５号公報
【特許文献３】実開平７−３６９７７号公報
【発明の開示】
【発明が解決しようとする課題】
【０００６】
前記のコップカバーとコップ本体との間は、水の浸入を防止すべく密着構造が採られるが、製作誤差、シール剤の封止不良、熱変形、衝撃等の影響により微小なすき間が生じ、洗浄の際にそのすき間から水が浸入することがある。しかし、一旦浸入した水は表面張力等の影響を受けて抜け難く、振った際に水音がしたり、また空気の出入りがないため内部まで乾燥し難く、長期にわたると腐敗臭が発生することがある。
【０００７】
そこで、この発明は、ステンレス鋼等によるコップカバーを施した構造を採用した蓋兼用コップにおいて、水の浸入による前記のような問題点を解消することを課題とする。
【課題を解決するための手段】
【０００８】
前記の課題を解決するために、この発明は、コップ本体の外面に金属製のコップカバーを被せ、そのコップカバーの開口部を前記コップ本体の開口部外周溝に嵌入し、前記コップ本体の底面の外周縁に嵌合一体化した底部材と前記コップ本体の開口部外周溝との間で前記コップカバーを保持するようにした液体容器の蓋兼用コップにおいて、前記コップ本体とコップカバーとの間の内部すき間に通じた開口部排水すき間を該コップ本体の開口部外周溝とコップカバーとの間に設けた構成とした。
【０００９】
前記の開口部排水すき間は、水の出入りが自由な範囲内でデザイン的な配慮から最小限度の大きさのスリット又は孔として形成される。以下の「接合部排水すき間」「底面部排水すき間」はいずれもこのようなものである。
【００１０】
前記のような開口部排水すき間を設けたことにより、洗浄の際にそのすき間から水が浸入したとしても、開口部排水すき間を下に向けたり振ったりすると、水が自然に排出される。
【００１１】
前記コップ本体の外面に所要数の縦リブを設けてコップカバーとの間に前記の内部すき間を形成し、該コップカバーにコップ本体の本体底面部に対応したカバー底面部を設け、該本体底面部にその外周縁に沿って設けた所要数の接合突起を前記コップカバーに設けた孔を貫通して外部に突出させ、前記カバー底面部に嵌着した前記底部材を各接合突起に接合することにより前記コップ本体、コップカバー及び底部材を一体化した構成をとることができる。このように構成すると、縦リブの存在により内部すき間が確実に形成され、内部に浸入した水の残留が回避される。
【００１２】
また、前記の開口部排水すき間を前記コップ本体の開口部外周溝とコップカバーの開口部との間の全周にわたり設け、該開口部排水すき間を前記の内部すき間に連通させた構成をとると、コップ本体の全周のどの位置からも排水が行われる。
【００１３】
前記接合突起とそれが貫通する前記孔との間に前記の内部すき間に連通した接合部排水すき間を設けた構成をとると、コップカバーと底部材の接合部における水の排出が一層自由になる。
【００１４】
また、前記カバー底面部の外周部の内側に立上り壁を経て一段高くなった突出部を設けるとともに前記外周部に前記の孔を設け、リング状に形成した前記底部材を該立上り壁の外周に嵌合し、前記孔から突出した接合突起と接合一体化し、前記立上り壁とこれに対向した底部材の内周面との間に前記の接合部排水すき間に連通した底面部排水すき間を設けた構成をとることもできる。
【発明の効果】
【００１５】
以上のように、この発明は、コップ本体とコップカバーとの間の内部すき間に通じた開口部排水すき間、接合部排水すき間のように積極的に水の流通が可能な大きさのすき間を設けたことにより、洗浄時等に水が浸入することがあっても、洗浄後に容易に排水できるので、水が内部に残留するおそれがなく衛生的である。また、シール手段が不要であるので製作コストの低減を図ることができる。また、コップカバーを底部材と接合一体化することにより、コップカバーの開口部とコップ本体の開口部外周溝との間に全周に亘り開口部排水すき間を設けることができ、これによって排水と乾燥を速やかに行うことができる。また、コップの開口部と底部の両方に排水すき間を設けることにより、排水と乾燥が一層促進される。
【発明を実施するための最良の形態】
【００１６】
以下、この発明を実施するための最良の形態を添付図面に基づいて説明する。
【実施例１】
【００１７】
図１から図３に示した実施例１の蓋兼用コップは、合成樹脂製のコップ本体１と、ステンレス鋼製のコップカバー２、及びリング状の合成樹脂製の底部材３とにより構成される。
【００１８】
コップ本体１は、周壁４の内周面の開口部５に近い部分にねじ部６が設けられ、容器本体１０の口部１０ａに着脱自在に螺合される。また開口部５の外周面に開口部外周溝７が形成される。周壁４は、底面側が小径になるように徐々に小径になっている。本体底面部８は水平（開口部５の面と平行）に形成された外周部９の内側に立上り壁１１を介して底面中央に突出部１２が形成される。突出部１２の内面は凹部１３となっている。
【００１９】
前記の本体底面部８の外周部９は、コップ本体１を容器本体１０の口部１０ａに螺合した際に、栓１０ｂの開閉ボタンの閉め忘れ時に立ち上がったままとなる開閉弁１０ｃに接触する高さに設定される。開閉弁１０ｃが立ち上がっている場合は、外周部９の底面で強制的に押し下げて閉弁させるようになっている。
【００２０】
前記コップ本体１の周壁４の外周面には、図２に示したように、前記の外周部９から開口部外周溝７の溝底に至る範囲に所要数の縦リブ１４が周方向に所定の間隔をおいて設けられる。この縦リブ１４は、コップカバー２との間に一定の内部すき間１５（図１（ｂ）参照）を確保するために設けられる。また、その縦リブ１４間において開口部外周溝７に近い部分に縦リブ１４と同じ高さのテーパーリブ１６が設けられる。テーパーリブ１６は開口部外周溝７の溝底に達する。また、開口部外周溝７を形成する溝壁１７（図１（ｃ）参照）の内面には、前記のテーパーリブ１６に対向した縦方向の小リブ１８（図１（ｃ）参照）が設けられる。コップカバー２の開口側端部が縦リブ１４とテーパーリブ１６と、これらに対向した小リブ１８間に差し込まれる。開口部外周溝７の内部においてコップカバー２の内面とコップ本体１の外周面との間に縦リブ１４の高さ分のすき間ａ（最小０．４ｍｍ）が形成され（図１（ｃ）参照）、また、コップカバー２の外面と溝壁１７内面との間に小リブ１８の高さに実質的に等しいすき間ｂ（最小０．３ｍｍ）が形成される。
【００２１】
一方、前記本体底面部８の外周部９には、前記の縦リブ１４上に各１箇所づつ接合突起１９が本体底面部８の中心に対して同芯状の配列で形成される。接合突起１９は若干わん曲した矩形に形成され、その上面に超音波溶着される長さ方向の小突起２１が形成される。
【００２２】
前記のコップカバー２は、ステンレス鋼等の金属でプレス成型された有底のコップ型のものであり、コップ本体１の周壁４と本体底面部８の外面をカバーする。そのコップカバー２開口部は開口部外周溝７内に差し込まれ、前述のようにすき間ａとともにすき間ｂが形成され（図１（ｃ）参照）、さらに開口部外周溝７の溝底との間に全周にわたるすき間ｃ（最小０．５ｍｍ）が形成される。開口部外周溝７内のこれらのすき間ａ、ｂ、ｃを通じた全体のすき間を開口部排水すき間２２と称する。開口部排水すき間２２を形成する各すき間の数値（ａ＝０．４ｍｍ、ｂ＝０．３ｍｍ、ｃ＝０．５ｍｍ）は、内部すき間１５に浸入した水が自然に排出される大きさの下限値である。その上限値は、ゴミ等の侵入の防止、デザイン等の観点から適宜設定される。なお、開口部排水すき間２２は前記の内部すき間１５に連通している。
【００２３】
コップカバー２のカバー底面部２３側においては、コップ本体１の前記の外周部９に沿った水平の外周部２４、その外周部２４の内側に立上り壁２５によって前記の突出部１２より若干高く突出した平坦な底面を形成する突出部２６が設けられる。前記外周部２４に接合突起１９を貫通させる隅丸の長方形の孔２７（図２参照）が一定の間隔で設けられる。孔２７とこれに貫通された接合突起１９のとの間にすき間ｄ（最小０．４ｍｍ）が形成される。このすき間ｄも内部すき間１５に浸入した水が自然に排出される大きさの下限値であり、接合部排水すき間３１と称する。なお、この接合部排水すき間３１は内部すき間１５や突出部２６の内部のすき間に連通している
前記の底部材３はコップカバー２の前記外周部２４と立上り壁２５との間のコーナー部を埋め、その表面によりコップカバー２の周壁４から突出部２６の間を緩やかに連続させる。また、その裏面に前記の小突起２１を有する接合突起１９に嵌合する溝２８（図１（ｂ）参照）が形成され、さらにその底部材３の内周面に周方向に所定の間隔をおいてすき間保持用の微小な突起２９が設けられる。
【００２４】
前記のコップ本体１にコップカバー２を被せ、コップ本体１の接合突起１９をコップカバー２の孔２７から外部に突出させる。その状態で、コップカバー２はコップ本体１の縦リブ１４上で内部すき間１５をおいて支持される。底部材３を立上り壁２５の外周に嵌合させるとともに、その裏面の溝２８に接合突起１９を嵌合させる。底部材３の突起２９が立上り壁２５に接触してすき間ｅ（最小０．３ｍｍ）が形成される。このすき間ｅも内部に浸入した水が自然に排出される大きさの下限値であり、底部排水すき間３２と称する。この底部排水すき間３２は、底部材３の内周面と裏面の間の切欠き部３０及び前記の接合部排水すき間３１を通じて内部すき間１５や突出部２６の内部のすき間に連通している。
【００２５】
前記の底部材３と接合突起１９との間を超音波溶着することにより、コップ本体１、コップカバー２、底部材３が接合一体化される。
【００２６】
上記構成の蓋兼用コップは、これを洗浄した際に、開口部排水すき間２２、接合部排水すき間３１及び底部排水すき間３２を通して内部すき間１５等に水が侵入するが、洗浄を終えたのち内部の水はこれらの排水すき間２２、３１、３２を通して自然にかつ速やかに外部に排出される。また、空気の流通も自由であるので、内部の乾燥も速やかに進む。
【００２７】
なお、前記の接合部排水すき間３１及び底部排水すき間３２を無くして密着させ、開口部排水すき間２２のみとすること、逆に開口部排水すき間２２を無くして密着させ、接合部排水すき間３１と底部排水すき間３２を設けた構成をとることもできる。
【００２８】
以上は実施例１を液体容器の蓋兼用コップとして説明したが、ねじ部６や本体底面部８の凹部１３を省略することにより、単独のコップとしても使用することができる。
【実施例２】
【００２９】
次に、図４から図６に基づいて実施例２の蓋兼用コップについて説明する。実施例２の場合も、合成樹脂製のコップ本体１、ステンレス鋼等の金属製のコップカバー２及び合成樹脂製の底部材３を有するが、その他に取手３３を有する点が前記実施例１の場合と相違する。
【００３０】
この場合のコップ本体１は、図５に示したように、開口部５の外周面に開口部外周溝７が形成され、その開口部外周溝７の一部に外側方に突き出した取手受け部３４が設けられる。内周面にねじ部６が設けられ、容器本体の口部（図示省略）に螺合するようになっている。また、コップ本体１の本体底面部８の内面に浅い凹部１３が形成され、また中央部１３ａが若干膨出して形成される。中央部１３ａの作用は前述の場合と同様である。また、本体底面部８の外面には、前記凹部１３の周縁と同じ径の環状リブ３５が設けられ、その環状リブ３５の外側にこれより低い２本の位置決めリブ３６が同芯円状に設けられる。
【００３１】
図６に示したように、前記の取手受け部３４にクリックピン収納部３７が設けられる。クリックピン収納部３７にはつば付きのクリックピン３８が上下方向に移動できるように収納され、そのクリックピン３８の一端部が取手受け部３４に設けた孔３９に挿入され、つば部４１に係合した付勢ばね４２により孔３９から突き出す方向に付勢される。クリックピン３８の露出端は、コップを容器本体の口部に螺合した際に、その螺合の終端で容器本体に設けた位置決め孔にクリック感をもって落ち込む。なお、取手受け部３４の内側（コップ本体２の周壁に接近した部分）に取手部排水孔４０が２箇所に並んで設けられる。この取手部排水孔４０の幅ｆと長さｇはそれぞれ最小０．４ｍｍ、０．５ｍｍである。
【００３２】
コップカバー２は、底面部が開放されたものであり。その周壁部はコップ本体１の周壁部の形状に沿って底面部側が緩やかに小径になるように絞られ、底面開口部４３の周縁部４４が水平に屈曲される。その周縁部４４が前記の位置決めリブ３６上に載る。また、コップカバー２の周壁部の一部には、開口部４５（図６参照）に開放された矩形の切欠き部４６が設けられる。開口部４５はコップ本体１の開口部外周溝７に密着状態に嵌合されるとともに、前記の切欠き部４６がクリックピン収納部３７を跨いで嵌合される。取手部材４７がクリックピン収納部３７に嵌合被覆される、取手部材４７は前記の切欠き部４６を閉塞するとともに、取手受け部３４に嵌合される。
【００３３】
前記のコップカバー２は、その開口部４５が開口部外周溝７に接近するに従ってコップ本体１に接近し、開口部外周溝７内では密着するが、前記の切欠き部４６の高さではコップ本体１との間には内部すき間１５に通じたすき間が存在する。そのすき間は前記の取手部排水孔４０上に開放されている。従って、取手部排水孔４０は切欠き部４６を経て内部すき間１５に連通している。
【００３４】
なお、底部材３は円板状のものであり、その内面に設けた環状リブ４８が設けられ、前記カバー本体１の環状リブ３５に嵌合密着される。底部材３の外周部はコップカバー２の周縁部４４に接し、前記の位置決めリブ３６とにより該周縁部４４を挟む。前記環状リブ４８と３５の嵌合部分を超音波溶着することにより、コップ本体１、コップカバー３及び底部材３が接合一体化される。
【００３５】
実施例２の蓋兼用コップは以上のようなものであり、取手部排水孔４０や、開口部外周溝７の部分のすき間から内部すき間１５に浸入した水は、開口部５を下に向けたり傾けたりすることにより取手部排水孔４０から自然に排出される。また、空気の出入りも可能であるので、内部の乾燥も速やかに行われる。
【００３６】
なお、この実施例２の場合も通常のコップとして単独に使用される場合がある。
【図面の簡単な説明】
【００３７】
【図１】（ａ）実施例１の断面図、（ｂ）（ａ）図の一部拡大断面図（ｃ）（ａ）図の一部拡大断面図
【図２】同上の一部切欠分解斜視図
【図３】同上の一部切欠平面図
【図４】実施例の斜視図
【図５】同上の断面図
【図６】（ａ）同上の一部分解斜視図、（ｂ）同上の取手部の下面図
【符号の説明】
【００３８】
１  コップ本体
２  コップカバー
３  底部材
４  周壁
５  開口部
６  ねじ部
７  開口部外周溝
８  本体底面部
９  外周部
１０  容器本体
１０ａ  口部
１０ｂ  栓
１０ｃ  開閉弁
１１  立上り壁
１２  突出部
１３  凹部
１３ａ  中央部
１４  縦リブ
１５  内部すき間
１６  テーパーリブ
１７  溝壁
１８  小リブ
１９  接合突起
２１  小突起
２２  開口部排水すき間
２３  カバー底面部
２４  外周部
２５  立上り壁
２６  突出部
２７  孔
２８  溝
２９  突起
３０  切欠き部
３１  接合部排水すき間
３２  底部排水すき間
３３  取手
３４  取手受け部
３５  環状リブ
３６  位置決めリブ
３７  クリックピン収納部
３８  クリックピン
３９  孔
４０  取手部排水孔
４１  つば部
４２  付勢ばね
４３  底面開口部
４４  周縁部
４５  開口部
４６  切欠き部
４７  取手部材
４８  環状リブ
【図１】
2005143975.tif 000003
【図２】
2005143975.tif 000004
【図３】
2005143975.tif 000005
【図４】
2005143975.tif 000006
【図５】
2005143975.tif 000007
【図６】
2005143975.tif 000008